(57)【要約】  【課題】  搭載される記録装置をより有効に利用すること。  【解決手段】  １画面を示す映像信号をサブフィールドコーディングして生成される複数のサブフィールドを示すサブフィールド映像信号を記録するフレームバッファ１２にＲＯＭ１４に記録されている駆動データを書き込む手段と、フレームバッファ１２から読み出された駆動データに基づいて、フレームバッファ１２から読み出されたサブフィールド映像信号をディスプレイパネル３２に出力する手段とを備えている。フレームバッファ１２から情報を読み出す時間は、ＲＯＭ１４から情報を読み出す時間より短い。表示装置１は、サブフィールドコーディングに用いられる駆動データをＲＯＭ１４から直接に読み出すことより速く利用することができる。  【選択図】  図２
2005241917.tif 000002
【特許請求の範囲】
【請求項１】
映像信号又は前記映像信号をコーディングしたコーディング映像信号を記憶するフレームバッファと、
前記映像信号又はコーディング映像信号以外のデータを保存するメモリと、
表示部とを備え、
前記フレームバッファに前記映像信号又はコーディング映像信号以外のデータを書き込み、読み出す
ことを特徴とする表示装置。
【請求項２】
映像信号をサブフィールドコーディングしたサブフィールド映像信号を記憶するフレームバッファと、
前記サブフィールド映像信号以外のデータを保存するメモリと、
表示部とを備え、
前記フレームバッファに前記サブフィールド映像信号以外のデータを書き込み、読み出す
ことを特徴とする表示装置。
【請求項３】
前記フレームバッファに前記映像信号、前記コーディング映像信号、前記サブフィールド映像信号以外のデータを書き込み、読み出す動作は、前記映像信号の垂直帰線期間又は水平帰線期間、あるいは、垂直帰線期間と水平帰線期間の両方に同期して行われる
ことを特徴とする請求項１又は２に記載の表示装置。
【請求項４】
前記フレームバッファに前記映像信号、前記コーディング映像信号、前記サブフィールド映像信号以外のデータを書き込み、読み出す動作は、前記映像信号の垂直帰線期間又は水平帰線期間、あるいは、垂直帰線期間と水平帰線期間の両方に行われる
ことを特徴とする請求項１又は２に記載の表示装置。
【請求項５】
前記表示部は、プラズマディスプレイパネルであり、
前記フレームバッファから前記映像信号、前記コーディング映像信号、前記サブフィールド映像信号以外のデータを書き込み、読み出す動作は、前記プラズマディスプレイパネルの走査期間以外に行われる
ことを特徴とする請求項１又は２に記載の表示装置。
【請求項６】
前記表示部は、プラズマディスプレイパネルであり、
前記フレームバッファから前記映像信号、前記コーディング映像信号、前記サブフィールド映像信号以外のデータを書き込み、読み出す動作は、前記映像信号の垂直帰線期間又は水平帰線期間、あるいは、垂直帰線期間と水平帰線期間の両方と前記プラズマディスプレイパネルの走査期間以外に行われる
ことを特徴とする請求項１又は２に記載の表示装置。
【請求項７】
前記映像信号、前記コーディング映像信号、前記サブフィールド映像信号以外のデータは、前記メモリに圧縮保存され、前記フレームバッファに書き込むときに展開される
ことを特徴とする請求項１乃至６の何れか一項に記載の表示装置。
【請求項８】
前記映像信号、前記コーディング映像信号、前記サブフィールド映像信号以外のデータは、前記表示装置の駆動波形、駆動電圧、駆動タイミング、コーディングデータの何れか一、あるいは、何れかのうち複数、あるいは、全てを示すデータである
ことを特徴とする請求項１乃至７の何れか一項に記載の表示装置。
【請求項９】
前記映像信号、前記コーディング映像信号、前記サブフィールド映像信号以外のデータは、前記表示装置の状態に対応付けて前記メモリに記憶され、現在の前記表示装置の状態に対応する前記メモリの内容が前記フレームバッファに書き込まれ、現在の前記表示装置の状態の変化にともない、前記フレームバッファに前記表示装置の更新された状態に対応する前記メモリの内容が書き込まれる
ことを特徴とする請求項７に記載の表示装置。
【請求項１０】
映像信号を加工する映像信号変換回路と、
前記映像信号変換回路により加工された表示映像信号を表示する表示部と、
前記映像信号変換回路の加工データを記憶する不揮発性メモリと、
前記不揮発性メモリから読み出した前記加工データを一時的に記憶する揮発メモリとを具備し、
前記映像信号変換回路は、前記揮発メモリから読み出した前記加工データに基づいて前記映像信号を前記表示映像信号に変換する
ことを特徴とする表示装置。
【請求項１１】
前記映像信号変換回路は、前記映像信号の垂直帰線期間又は水平帰線期間に前記揮発メモリから前記加工データを読み出す
ことを特徴とする請求項１０に記載の表示装置。
【請求項１２】
前記加工データは、データ圧縮されて前記不揮発性メモリに記憶されており、
前記揮発メモリには、前記不揮発性メモリから読み出されデータ圧縮された前記加工データを展開した加工データが記憶される
ことを特徴とする請求項１０又は１１に記載の表示装置。
【請求項１３】
前記加工データは、コーディングデータである
ことを特徴とする請求項１０乃至１２の何れか一項に記載の表示装置。
【請求項１４】
不揮発性メモリと揮発性メモリと表示部を具備する表示装置の駆動方法において、
前記不揮発性メモリから加工用データを読み出して前記揮発性メモリに書き込む工程と、
前記揮発性メモリから読み出した加工用データに基づいて入力映像信号を加工する工程と、
前記加工された加工映像信号を前記揮発性メモリに書き込む工程と、
前記揮発性メモリから前記加工映像信号を読み出し前記表示部に表示する工程と、
前記不揮発性メモリから加工用データを読み出して前記揮発性メモリに書き込む工程とを有し、
加工用データの前記揮発性メモリへの書き込みは、前記入力映像信号の垂直帰線期間又は水平帰線期間、あるいは垂直帰線期間と水平帰線期間の両期間に同期して行われる
ことを特徴とする表示装置の駆動方法。
【請求項１５】
映像信号加工回路と不揮発性メモリと揮発性メモリと表示部を具備するプラズマ表示装置の駆動方法において、
前記不揮発性メモリから加工用データを読み出して前記揮発性メモリに書き込む工程と、
前記揮発性メモリから読み出した加工用データを前記映像信号加工回路に読み出し、前記加工用データに基づき入力映像信号を加工する工程と、
前記不揮発性メモリから駆動データを読み出して前記揮発性メモリに書き込む工程と、
前記揮発性メモリから読み出した駆動データに基づいて駆動波形制御信号を生成し前記表示部に出力するのと同期して前記加工された加工映像信号を前記表示部に表示する工程とを有し、
前記揮発性メモリから前記加工用データの前記映像信号加工回路への読み出しは、前記入力映像信号の垂直帰線期間又は水平帰線期間、あるいは垂直帰線期間と水平帰線期間の両期間に同期して行われる
ことを特徴とするプラズマ表示装置の駆動方法。
【請求項１６】
不揮発性メモリと揮発性メモリと表示部を具備するプラズマ表示装置の駆動方法において、
前記不揮発性メモリから加工データを読み出して前記揮発性メモリに書き込む工程と、
前記揮発性メモリから読み出した加工データに基づいて入力映像信号を加工する工程と、
前記加工された加工映像信号を前記揮発性メモリに書き込む工程と、
前記揮発性メモリから前記加工映像信号を読み出し前記表示部に表示する工程と、
前記不揮発性メモリから加工用データを読み出して前記揮発性メモリに書き込む工程とを有し、
前記加工データの前記揮発性メモリへの書き込みは、前記表示部の走査期間以外に行われる
ことを特徴とするプラズマ表示装置の駆動方法。
【請求項１７】
映像信号加工回路と不揮発性メモリと揮発性メモリと表示部を具備するプラズマ表示装置の駆動方法において、
前記不揮発性メモリから加工データを読み出して前記揮発性メモリに書き込む工程と、
前記揮発性メモリから読み出した加工データを前記映像信号加工回路に読み出し、前記加工データに基づき入力映像信号を加工する工程と、
前記不揮発性メモリから駆動データを読み出して前記揮発性メモリに書き込む工程と、
前記揮発性メモリから読み出した駆動データに基づいて駆動波形制御信号を生成し前記表示部に出力するのと同期して前記加工された加工映像信号を前記表示部に表示する工程とを有し、
前記揮発性メモリから前記加工データの前記映像信号加工回路への読み出しは、前記表示部の走査期間以外に行われる
ことを特徴とするプラズマ表示装置の駆動方法。
【請求項１８】
請求項１５〜１７に記載されるプラズマ表示装置の駆動方法を組み合わせて行う
ことを特徴とするプラズマ表示装置の駆動方法。
【発明の詳細な説明】
【技術分野】
【０００１】
本発明は、表示装置及び表示装置の駆動方法に関し、特に、サブフィールドコーディングを用いて多階調表示する表示装置及び表示装置の駆動方法に関する。具体的にはプラズマ表示装置及びプラズマ表示装置の駆動方法に関する。
【背景技術】
【０００２】
大画面を多階調表示するプラズマ表示装置が知られている。そのプラズマ表示装置は、各画素が発光・非発光の２値しか取れない。このため、プラズマ表示装置は、１枚のフィールドを複数のサブフィールドに分割して表示することにより多階調表示するサブフィールド方法により表示される。
【０００３】
従来、この種の多階調画像表示方法は特許文献１に記載されているように、次のように行なわれる。デジタル化された映像信号はサブフィールド変換され、フレームバッファに書き込まれる。１フレーム分のフレームバッファ２個を１フレーム毎に切替えて交互に書き込み、このフレームバッファから交互に読み出したサブフィールド映像信号を表示映像信号として表示パネルのドライバに供給する。これを図を用いてより詳細に説明する。
【０００４】
図１０は、公知のプラズマ表示装置に搭載される多階調表示プラズマディスプレイ駆動装置を示している。その多階調表示プラズマディスプレイ駆動装置５００は、サブフィールド変換回路５１１とフレームバッファ５１２と駆動波形制御回路５１３と駆動データＲＯＭ５１４とを備えている。駆動データＲＯＭ５１４は、電源が切れても内容が失われない読み出し専用の半導体記憶装置である。駆動データＲＯＭ５１４としては、例えばフラッシュメモリが使用される。駆動データＲＯＭ５１４は、サブフィールドコーディングに用いられるコーディングデータや駆動波形を生成するための駆動データを予め記録している。フレームバッファ５１２は、ランダムアクセスが可能な記憶装置である。フレームバッファ５１２としては、例えばＤＲＡＭが用いられる。フレームバッファ５１２は、サブフィールド変換回路５１１により変換されるサブフィールド映像信号の各サブフィールドに対応するビットを各サブフィールドのメモリ領域に一時的に記憶し、サブフィールドごとに読み出す。１フレームを８サブフィールドで構成するとき、サブフィールド映像信号は表示１セル当り８ビットデータとなり、実際に表示部を駆動するデータは各サブフィールドごとの１ビットデータとなる。この１ビットデータを表示映像信号と呼ぶことにする。本明細書ではフレームバッファに書き込むデータは対応するサブフィールドごとにメモリ領域を分け、サブフィールドごとにメモリ領域に書き込んでいる。フレームバッファにサブフィールド映像信号を各サブフィールド対応のデータに分けることなく書く込むこともできることは言うまでもない。
【０００５】
サブフィールド変換回路５１１は、駆動データＲＯＭ５１４から読み出したコーディングデータに基づいて、入力される映像信号をサブフィールド映像信号に変換する。サブフィールド変換回路５１１は、一旦サブフィールド映像信号を表示映像信号の形でフレームバッファ５１２に書き込み、表示のタイミングに合わせてフレームバッファ５１２から表示映像信号を読み出し、プラズマディスプレイパネルに出力する。
【０００６】
駆動波形制御回路５１３は、駆動データＲＯＭ５１４から読み出した駆動データに基づいて、駆動波形を生成してプラズマディスプレイパネルに出力する。サブフィールド変換回路５１１は、その駆動波形に同期して、表示映像信号をプラズマディスプレイパネルに出力する。サブフィールド法を用いる表示装置の特性を有効に利用する表示装置が望まれている。
【０００７】
【特許文献１】特開平０６−２５９０３３号公報
【発明の開示】
【発明が解決しようとする課題】
【０００８】
プラズマ表示装置では大型化、高精細化が進むとともに、より高画質を実現するために木目細かい制御が要求されつつある。すなわち、周囲温度や、表示負荷、ＩＣの温度等を監視し、ある条件下において最適な駆動を行うことによりパネルの性能を最大限引き出すような制御が要求されている。そのためにはこれらの各種条件により駆動波形を決定する駆動データを上記駆動データＲＯＭ５１４に記憶しておき、かつ駆動波形制御回路５１３は、駆動データＲＯＭ５１４から頻繁に駆動データを読み出す必要が生じる。しかしフラッシュメモリのアクセス速度はＤＲＡＭなどに比べて遅い。このような頻繁にアクセスが必要な駆動データ量が増えれば、必要な駆動データを読み込むためにますます時間が必要になる。従って、駆動データを記憶するためにより高速アクセス可能でかつ記憶容量の大きなメモリが必要になる。
【０００９】
一方、フレームバッファ５１２として用いるＤＲＡＭは上記要求に対応できる高速アクセスが可能であり、しかも１フレームの映像を保存しても記憶容量に余裕がある場合が多い。本発明はこのような映像を保存すると言う主用途に用いても、まだ空いている空間のあるフレームバッファに着目し、木目細かい制御に必要な駆動データを一時的にこのフレームバッファに記憶させるというものである。
【００１０】
すなわち、本発明の目的は、木目細かい駆動制御により高画質を実現した表示装置及び表示装置の駆動方法を提供することにある。
本発明の他の目的は、搭載される記録装置をより有効に利用する表示装置及び表示装置の駆動方法を提供することにある。
本発明のさらに他の目的は、搭載されるＲＯＭの記憶容量を低減する表示装置及び表示装置の駆動方法を提供することにある。
【課題を解決するための手段】
【００１１】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１２】
本発明による表示装置（１）は、映像信号又は映像信号をコーディングしたコーディング映像信号を記憶するフレームバッファ（１２、１１２、２１２）と、映像信号又はコーディング映像信号以外のデータを保存するメモリ（１４、１１４、２１４）と、表示部（３２）とを備えている。このとき、フレームバッファ（１２、１１２、２１２）に映像信号又はコーディング映像信号以外のデータを書き込み、読み出すことが好ましい。
【００１３】
本発明による表示装置（１）は、映像信号をサブフィールドコーディングしたサブフィールド映像信号を記憶するフレームバッファ（１２、１１２、２１２）と、サブフィールド映像信号以外のデータを保存するメモリ（１４、１１４、２１４）と、表示部（３２）とを備えている。このとき、フレームバッファ（１２、１１２、２１２）にサブフィールド映像信号以外のデータを書き込み、読み出すことが好ましい。
【００１４】
フレームバッファ（１２、１１２、２１２）に映像信号、コーディング映像信号、サブフィールド映像信号以外のデータを書き込み、読み出す動作は、映像信号の垂直帰線期間（８３）又は水平帰線期間（８２）、あるいは、垂直帰線期間（８３）と水平帰線期間（８２）の両方に同期して行われることが好ましい。
【００１５】
フレームバッファ（１２、１１２、２１２）に映像信号、コーディング映像信号、サブフィールド映像信号以外のデータを書き込み、読み出す動作は、映像信号の垂直帰線期間（８３）又は水平帰線期間（８２）、あるいは、垂直帰線期間（８３）と水平帰線期間（８２）の両方に行われることが好ましい。
【００１６】
表示部（３２）は、プラズマディスプレイパネルである。このとき、フレームバッファ（１２、１１２、２１２）から映像信号、コーディング映像信号、サブフィールド映像信号以外のデータを書き込み、読み出す動作は、プラズマディスプレイパネルの走査期間（ＳＣ）以外に行われることが好ましい。
【００１７】
表示部（３２）は、プラズマディスプレイパネルである。このとき、フレームバッファ（１２、１１２、２１２）から映像信号、コーディング映像信号、サブフィールド映像信号以外のデータを書き込み、読み出す動作は、映像信号の垂直帰線期間（８３）又は水平帰線期間（８２）、あるいは、垂直帰線期間（８３）と水平帰線期間（８２）の両方とプラズマディスプレイパネルの走査期間（ＳＣ）以外に行われることが好ましい。
【００１８】
映像信号、コーディング映像信号、サブフィールド映像信号以外のデータは、メモリに圧縮保存され、フレームバッファ（１２、１１２、２１２）に書き込むときに展開されることが好ましい。
【００１９】
映像信号、コーディング映像信号、サブフィールド映像信号以外のデータは、表示装置（１）の駆動波形、駆動電圧、駆動タイミング、コーディングデータの何れか一、あるいは、何れかのうち複数、あるいは、全てを示すデータであることが好ましい。
【００２０】
映像信号、コーディング映像信号、サブフィールド映像信号以外のデータは、表示装置（１）の状態に対応付けてメモリに記憶され、現在の表示装置（１）の状態に対応するメモリの内容がフレームバッファ（１２、１１２、２１２）に書き込まれ、現在の表示装置（１）の状態の変化にともない、フレームバッファ（１２、１１２、２１２）に表示装置（１）の更新された状態に対応するメモリの内容が書き込まれることが好ましい。
【００２１】
本発明による表示装置（１）は、映像信号を加工する映像信号変換回路（１１、１１１、２１１）と、映像信号変換回路（１１、１１１、２１１）により加工された表示映像信号を表示する表示部（３２）と、映像信号変換回路（１１、１１１、２１１）の加工データを記憶する不揮発性メモリ（１４、１１４、２１４）と、不揮発性メモリ（１４、１１４、２１４）から読み出した加工データを一時的に記憶する揮発メモリ（１４、１１４、２１４）とを備えている。映像信号変換回路（１１、１１１、２１１）は、揮発メモリから読み出した加工データに基づいて映像信号を表示映像信号に変換することが好ましい。
【００２２】
映像信号変換回路（１１、１１１、２１１）は、映像信号の垂直帰線期間（８３）又は水平帰線期間（８２）に揮発メモリから加工データを読み出すことが好ましい。
【００２３】
加工データは、データ圧縮されて不揮発性メモリ（１４、１１４、２１４）に記憶されている。このとき、揮発メモリには、不揮発性メモリ（１４、１１４、２１４）から読み出されデータ圧縮された加工データを展開した加工データが記憶されることが好ましい。
【００２４】
加工データは、コーディングデータであることが好ましい。
【００２５】
本発明による表示装置の駆動方法は、不揮発性メモリ（１４、１１４、２１４）と揮発性メモリ（１２、１１２、１１６、２１２）と表示部（３２）を備えている表示装置（１）において、不揮発性メモリ（１４、１１４、２１４）から加工用データを読み出して揮発性メモリ（１２、１１２、１１６、２１２）に書き込む工程と、揮発性メモリ（１２、１１２、１１６、２１２）から読み出した加工用データに基づいて入力映像信号を加工する工程と、加工された加工映像信号を揮発性メモリ（１２、１１２、１１６、２１２）に書き込む工程と、揮発性メモリ（１２、１１２、１１６、２１２）から加工映像信号を読み出し表示部（３２）に表示する工程と、不揮発性メモリ（１４、１１４、２１４）から加工用データを読み出して揮発性メモリ（１２、１１２、１１６、２１２）に書き込む工程とを有している。このとき、加工用データの揮発性メモリ（１２、１１２、１１６、２１２）への書き込みは、入力映像信号の垂直帰線期間（８３）又は水平帰線期間（８２）、あるいは垂直帰線期間（８３）と水平帰線期間（８２）の両期間に同期して行われることが好ましい。
【００２６】
本発明によるプラズマ表示装置の駆動方法は、映像信号加工回路（１１、１１１、２１１）と不揮発性メモリ（１４、１１４、２１４）と揮発性メモリ（１２、１１２、１１６、２１２）と表示部（３２）を備えているプラズマ表示装置（１）において、不揮発性メモリ（１４、１１４、２１４）から加工用データを読み出して揮発性メモリ（１２、１１２、１１６、２１２）に書き込む工程と、揮発性メモリ（１２、１１２、１１６、２１２）から読み出した加工用データを映像信号加工回路（１１、１１１、２１１）に読み出し、加工用データに基づき入力映像信号を加工する工程と、不揮発性メモリ（１４、１１４、２１４）から駆動データを読み出して揮発性メモリ（１２、１１２、１１６、２１２）に書き込む工程と、揮発性メモリ（１２、１１２、１１６、２１２）から読み出した駆動データに基づいて駆動波形制御信号を生成し表示部（３２）に出力するのと同期して加工された加工映像信号を表示部（３２）に表示する工程とを有している。このとき、揮発性メモリ（１２、１１２、１１６、２１２）から加工用データの映像信号加工回路（１１、１１１、２１１）への読み出しは、入力映像信号の垂直帰線期間（８３）又は水平帰線期間（８２）、あるいは垂直帰線期間（８３）と水平帰線期間（８２）の両期間に同期して行われることが好ましい。
【００２７】
本発明によるプラズマ表示装置の駆動方法は、不揮発性メモリ（１４、１１４、２１４）と揮発性メモリ（１２、１１２、１１６、２１２）と表示部（３２）を備えているプラズマ表示装置（１）において、不揮発性メモリ（１４、１１４、２１４）から加工データを読み出して揮発性メモリ（１２、１１２、１１６、２１２）に書き込む工程と、揮発性メモリ（１２、１１２、１１６、２１２）から読み出した加工データに基づいて入力映像信号を加工する工程と、加工された加工映像信号を揮発性メモリ（１２、１１２、１１６、２１２）に書き込む工程と、揮発性メモリ（１２、１１２、１１６、２１２）から加工映像信号を読み出し表示部（３２）に表示する工程と、不揮発性メモリ（１４、１１４、２１４）から加工用データを読み出して揮発性メモリ（１２、１１２、１１６、２１２）に書き込む工程とを有している。このとき、加工データの揮発性メモリ（１２、１１２、１１６、２１２）への書き込みは、表示部（３２）の走査期間（ＳＣ）以外に行われることが好ましい。
【００２８】
本発明によるプラズマ表示装置の駆動方法は、映像信号加工回路（１１、１１１、２１１）と不揮発性メモリ（１４、１１４、２１４）と揮発性メモリ（１２、１１２、１１６、２１２）と表示部（３２）を備えているプラズマ表示装置（１）において、不揮発性メモリ（１４、１１４、２１４）から加工データを読み出して揮発性メモリ（１２、１１２、１１６、２１２）に書き込む工程と、揮発性メモリ（１２、１１２、１１６、２１２）から読み出した加工データを映像信号加工回路（１１、１１１、２１１）に読み出し、加工データに基づき入力映像信号を加工する工程と、不揮発性メモリ（１４、１１４、２１４）から駆動データを読み出して揮発性メモリ（１２、１１２、１１６、２１２）に書き込む工程と、揮発性メモリ（１２、１１２、１１６、２１２）から読み出した駆動データに基づいて駆動波形制御信号を生成し表示部（３２）に出力するのと同期して加工された加工映像信号を表示部（３２）に表示する工程とを有している。このとき、揮発性メモリ（１２、１１２、１１６、２１２）から加工データの映像信号加工回路（１１、１１１、２１１）への読み出しは、表示部（３２）の走査期間（ＳＣ）以外に行われることが好ましい。
【００２９】
これらのようなプラズマ表示装置の駆動方法は、組み合わせて実行されることが可能である。
【発明の効果】
【００３０】
本発明による表示装置及び表示装置の駆動方法は、木目細かい駆動制御により高画質を実現することができる。また、本発明による表示装置及び表示装置の駆動方法により、搭載される記録装置をより有効に利用することができる。
【発明を実施するための最良の形態】
【００３１】
図面を参照して、本発明による表示装置の実施の形態を記載する。その表示装置１は、プラズマ表示装置に例示される装置であり、図１に示されているように、アナログインターフェース２０と、プラズマディスプレイモジュール３０とを備えている。
【００３２】
アナログインターフェース２０は、ビデオクロマデコーダ部２１、Ａ／Ｄ変換部２２、同期信号制御部２３、画像フォーマット変換部２４、逆ガンマ変換部２５、システムコントロール部２６を備えている。
【００３３】
ビデオクロマデコーダ部２１は、アナログビデオ信号を、アナログＲＧＢに変換し、Ａ／Ｄ変換部２２及び同期信号制御部２３へ出力する。
【００３４】
Ａ／Ｄ変換部２２は、アナログＲＧＢ信号をディジタルＲＧＢ信号に変換し、画像フォーマット変換部２４及び逆ガンマ変換部２５へ出力する。
【００３５】
画像フォーマット変換部２４は、入力されたディジタルＲＧＢ信号の画素構成とプラズマディスプレイモジュール３０の画素構成とが異なる場合に、ディジタルＲＧＢ信号の画素構成をプラズマディスプレイモジュール３０の画素構成へ変換する。
【００３６】
逆ガンマ（γ）変換部２５は、予めガンマ変換されているアナログＲＧＢ信号を復元してプラズマディスプレイモジュール３０へ出力する。
【００３７】
同期信号制御部２３は、ＰＬＬ回路を含んでいる。同期信号制御部２３は、アナログビデオ信号またはアナログＲＧＢ信号と同時に供給される水平同期信号を取り出す。同期信号制御部２３は、この水平同期信号を基準として、同期信号及びデータクロック信号を生成し、プラズマディスプレイモジュール３０へ出力する。
【００３８】
プラズマディスプレイ表示装置１は、表示装置１内に各種センサを備えている。例えば、表示装置１の周囲の温度、表示装置１が搭載するＩＣの温度等である。その各種センサにより検出されたデータを、システムコントロール部２６で判断し各種制御信号をプラズマディスプレイモジュール３０の多階調表示プラズマディスプレイ駆動装置３１へ出力する。あるいは、各種センサの値がそのまま多階調表示プラズマディスプレイ駆動装置３１に送られる。
【００３９】
プラズマディスプレイモジュール３０は、多階調表示プラズマディスプレイ駆動装置３１とプラズマディスプレイパネル部３２とを備えている。アナログインターフェース２０から入力されるディジタルＲＧＢ信号を以降は単に映像信号と呼ぶことにする。
【００４０】
多階調表示プラズマディスプレイ駆動装置３１は、入力される映像信号をサブフィールドコーディングしてサブフィールド映像信号を生成し、そのサブフィールド映像信号を表示映像信号の形でプラズマディスプレイパネル部３２に出力する。さらに、多階調表示プラズマディスプレイ駆動装置３１は、入力されるディジタルＲＧＢ信号をカウントし、表示される映像の表示負荷も求めている。多階調表示プラズマディスプレイ駆動装置３１は、さらに、プラズマディスプレイパネル部３２の各ドライバを制御する駆動波形をプラズマディスプレイパネル部３２に出力する。
【００４１】
プラズマディスプレイパネル部３２は、プラズマディスプレイパネル５０、走査ドライバ３８、データドライバ３９、高圧パルス部４０、電力回収部４１とを備えている。
【００４２】
走査ドライバ３８は、プラズマディスプレイパネル５０の走査電極を制御、駆動する。
データドライバ３９は、プラズマディスプレイパネル５０のデータ電極を制御、駆動する。
高圧パルス部４０は、プラズマディスプレイパネル５０及び走査ドライバ３８にパルス電圧を供給する。
プラズマディスプレイパネル５０は、ここでは行列状に配列された１３６５個×７６８個の画素を有する。走査ドライバ３８による走査電極の制御とデータドライバ３９によるデータ電極の制御に基づいて、複数の画素のうちの所定の画素を点灯又は非点灯することにより、所望の画像を表示する。
電力回収部４１は、高圧パルス部４０からの余剰電力を回収する。
【００４３】
図２は、多階調表示プラズマディスプレイ駆動装置３１を詳細に示している。多階調表示プラズマディスプレイ駆動装置３１は、サブフィールド変換回路１１とフレームバッファ１２と駆動波形制御回路１３と駆動データＲＯＭ１４とを備えている。駆動波形制御回路１３は、経路１５を介してフレームバッファ１２に情報伝達可能に接続されている。駆動データＲＯＭ１４は、電源が切れても内容は失われない読み出し専用の半導体記憶装置である。駆動データＲＯＭ１４としては例えばフラッシュメモリが使用される。駆動データＲＯＭ１４は、サブフィールドコーディングに用いられるコーディングデータやプラズマディスプレイ部３２を駆動するのに必要な駆動データを予め記録している。フレームバッファ１２は、ランダムアクセスが可能な記憶装置である。フレームバッファ１２としては、例えばＤＲＡＭが使用される。フレームバッファ１２は、サブフィールド変換回路１１により変換されるサブフィールド映像信号を表示映像信号の形で一時的に記憶して、映像信号の入力されるタイミングと各サブフィールドにおいてプラズマディスプレイパネルに必要な表示映像信号のタイミングとの相違を調整する。「０」と「１」で表されるサブフィールド映像信号の各ビットの信号が各サブフィールドに対応する表示映像信号である。
【００４４】
サブフィールド変換回路１１は、入力された映像信号をサブフィールド映像信号に変換し、表示映像信号の形でフレームバッファ１２に書き込む。サブフィールド変換回路１１は、さらに、フレームバッファ１２から各サブフィールドで表示する表示映像信号を読み出し、プラズマディスプレイパネル部３２に出力する。一方、駆動波形制御回路１３は、表示映像信号をプラズマディスプレイパネル５０に表示させるための駆動波形を生成するための制御信号をプラズマディスプレイパネル部３２に出力する。この制御サブフィールド変換回路１１は、その駆動波形に同期して、表示映像信号をプラズマディスプレイパネル部３２に出力する。プラズマディスプレイパネル部３２では前記制御信号や表示映像信号から駆動波形を生成する。
【００４５】
駆動データＲＯＭ１４に記録されている駆動データとしては、駆動波形とサブフィールドコーディングデータがある。そのサブフィールドコーディングデータは、図３に示されているように、１組のサブフィールドを重みに対応付け、各重みのサブフィールドが表示される順番を示している。たとえば、サブフィールド１には、重み１が対応付けられている。サブフィールド２には、重み２が対応付けられている。サブフィールド３には、重み４が対応付けられている。サブフィールド４には、重み７が対応付けられている。サブフィールド５には、重み１０が対応付けられている。サブフィールド６には、重み１４が対応付けられている。サブフィールド７には、重み１９が対応付けられている。サブフィールド８には、重み２５が対応付けられている。サブフィールド９には、重み３１が対応付けられている。サブフィールド１０には、重み３９が対応付けられている。サブフィールド１１には、重み４７が対応付けられている。サブフィールド１２には、重み５６が対応付けられている。
【００４６】
そのサブフィールドコーディングデータは、さらに、階調を１組のサブフィールドから取り出されるサブフィールドの組み合わせに対応付けている。たとえば、その組み合わせは、階調が１を示すときに、サブフィールド１から形成される。その組み合わせは、階調が２を示すときに、サブフィールド２から形成される。その組み合わせは、階調が３を示すときに、サブフィールド１とサブフィールド２とから形成される。その組み合わせは、階調が４を示すときに、サブフィールド３から形成される。その組み合わせは、階調が５を示すときに、サブフィールド１とサブフィールド３とから形成される。その組み合わせは、階調が６を示すときに、サブフィールド２とサブフィールド３とから形成される。その組み合わせは、階調が７を示すときに、サブフィールド１とサブフィールド２とサブフィールド３とから形成される。その組み合わせは、階調が８を示すときに、サブフィールド１とサブフィールド４とから形成される。その組み合わせは、階調が９を示すときに、サブフィールド２とサブフィールド４とから形成される。その組み合わせは、階調が１０を示すときに、サブフィールド１とサブフィールド２とサブフィールド４とから形成される。その組み合わせは、階調が１１を示すときに、サブフィールド３とサブフィールド４とから形成される。その組み合わせは、階調が１２を示すときに、サブフィールド１とサブフィールド３とサブフィールド４とから形成される。その組み合わせは、階調が２５４を示すときに、サブフィールド２〜サブフィールド１２から形成される。その組み合わせは、階調が２５５を示すときに、サブフィールド１〜サブフィールド１２から形成される。
【００４７】
図４は、フレームバッファ１２を示している。フレームバッファ１２は、第１フレームバッファ６５と第２フレームバッファ６６とから形成されている。第１フレームバッファ６５は、記憶領域としてサブフィールド映像信号領域６７と駆動データ領域６８とを備えている。サブフィールド映像信号領域６７は、サブフィールド変換回路１１により変換されたサブフィールド映像信号を記憶することに利用される。駆動データ領域６８は、サブフィールドコーディングデータや駆動データを一時的に記憶することに利用される。第２フレームバッファ６６も同様に記憶領域としてサブフィールド映像信号領域６９と駆動データ領域７０とを備えている。サブフィールド映像信号領域６９は、サブフィールド変換回路１１により変換されたサブフィールド映像信号を記憶することに利用される。駆動データ領域７０は、サブフィールドコーディングデータや駆動データを一時的に記憶することに利用される。この実施例では駆動データ領域も２フレームに分かれているが、駆動データ領域は２フレームに分ける必要はない。
【００４８】
図５は、アナログインターフェース２０から出力される映像信号の概念を示している。その映像信号は、複数の静止画が次々に表示される動画を示している。その１つの静止画８０（すなわち１フィールド）は、それぞれ、水平方向に平行であるｎ個（ｎ＝２，３，４，…）の走査線８１−１〜８１−ｎが垂直方向に並べられて形成されている。走査線８１−ｉ（ｉ＝１，２，３，…，ｎ）は、複数の画素が水平方向に並べられて形成されている。その画素は、一般にはＲ（赤）、Ｇ（緑）、Ｂ（青）の３色が混合して生成され、その３色の色の濃さをそれぞれ示す階調から表現されている。すなわち、その映像は、合同である複数の画素が水平方向と垂直方向とに格子状に配置されて形成されている。このため、映像信号は、複数の静止画を次々に伝送し、各静止画を示す複数の走査線を上側から下側に順番に次々に伝送している。
【００４９】
アナログインターフェース２０により生成される水平同期信号は、映像信号が示す走査線が他の走査線に変わるタイミングを立ち下がりにより示している。すなわち、水平同期信号は、映像信号により１つの走査線が伝送される一水平同期毎に立ち下がりを形成している。水平帰線期間８２−ｉは、走査線８１−ｉの最後の画素が伝送されてから走査線８１−（ｉ＋１）の最初の画素が伝送されるまでの時間を示している。アナログインターフェース２０により生成される垂直入力信号は、映像信号が示す映像が次のフィールドに変わるタイミングを立ち下がりにより示している。すなわち、垂直同期信号は、１フィールド毎に立ち下がりを形成している。垂直帰線期間８３は、１フィールドの画素が伝送されてから次のフィールドの最初の画素が伝送されるまでの時間を示している。
【００５０】
図６は、多階調表示プラズマディスプレイ駆動装置３１により生成されるサブフィールド映像信号を示している。そのサブフィールド映像信号は、静止画８０を複数のＳＦ１〜ＳＦ１２により表現している。複数のＳＦ１〜ＳＦ１２は、それぞれ重み付けされ、その重みの分長い時間プラズマディスプレイパネル５０に表示される。すなわち、表示装置１は、発光あるいは非発光の２値しかないプラズマディスプレイパネル５０に階調性のある１枚の画像を、発光時間が異なる複数の２値表示画像である複数のＳＦ１〜ＳＦ１２を高速で連続して表示することにより、多階調の画像として表示している。観察者は、視覚の積分効果により、その映像を多階調の画像として観察することができる。
【００５１】
図７は、多階調表示プラズマディスプレイ駆動装置３１により生成される表示映像信号をプラズマディスプレイパネル部３２に出力する駆動シーケンスを示している。動画を形成する各静止画を表示する期間である１フィールドシーケンスは、複数のサブフィールドシーケンスから形成されている。サブフィールドシーケンスは、それぞれ、プライミング期間Ｐと走査期間ＳＣと維持期間ＨＯとから形成されている。プライミング期間Ｐは、セルにおいて予備放電を行う期間である。走査期間ＳＣは、プラズマディスプレイの１ドットずつの発光・非発光を順に走査しながら決める期間である。維持期間ＨＯは、走査期間ＳＣで決められた発光部分を、各々の階調ビットに応じ、所定の輝度を与える維持パルス回数で光らせる期間である。
【００５２】
本発明による表示装置の駆動方法の実施の形態は、多階調表示プラズマディスプレイ駆動装置３１により実行され、駆動データＲＯＭ１４に記憶されている駆動データをフレームバッファ１２に書き込む動作と、フレームバッファに書き込まれている一時的な駆動データに基づいてプラズマディスプレイパネル部３２を駆動する信号を出力する動作と、サブフィールド映像信号を生成してフレームバッファ１２に表示映像信号の形で書き込む動作と、表示映像信号をフレームバッファ１２から読み出してプラズマディスプレイパネル部３２に出力する動作とを備えている。
【００５３】
駆動データＲＯＭ１４に記憶されている駆動データをフレームバッファ１２に書き込む動作は、多階調表示プラズマディスプレイ駆動装置３１により間欠的に実行される。多階調表示プラズマディスプレイ駆動装置３１は、システムコントロール部２６からの制御信号や各種センサの値、入力されるディジタルＲＧＢ信号の表示負荷等から表示装置１の表示が最良となる様に、対応する圧縮された駆動データを駆動データＲＯＭ１４から読み出してフレームバッファ１２に展開する。多階調表示プラズマディスプレイ駆動装置３１は、水平帰線期間８２−１〜８２−（ｎ−１）又は垂直帰線期間８３、あるいは、水平と垂直帰線期間の両期間にその展開された駆動データをフレームバッファ１２に書き込む。多階調表示プラズマディスプレイ駆動装置３１に入力される映像信号は、水平帰線期間、垂直帰線期間には信号がなくなるからである。ただし、映像信号は複数の処理回路により遅延を生じるため、多階調表示プラズマディスプレイ駆動装置３１に入力される映像信号の信号が実際になくなる期間はもとの水平帰線期間、垂直帰線期間とはずれることが考えられる。ここでの水平帰線期間、垂直帰線期間は、多階調表示プラズマディスプレイ駆動装置３１に入力される映像信号の水平帰線期間、垂直帰線期間である。また、多階調表示プラズマディスプレイ駆動装置３１は、水平帰線期間又は垂直帰線期間に同期してその展開された駆動データをフレームバッファ１２に書き込むとも言える。
【００５４】
あるいは、多階調表示プラズマディスプレイ駆動装置３１は、プライミング期間Ｐと維持期間ＨＯのタイミングにおいて、その展開された駆動データをフレームバッファ１２に書き込む。走査期間ＳＣのタイミングには、表示映像信号をフレームバッファ１２から読み出してプラズマディスプレイパネル部３２に出力しているからである。
【００５５】
これらのことから、多階調表示プラズマディスプレイ駆動装置３１は、プライミング期間又は維持期間、あるいは、プライミング期間と維持期間の両期間で、その展開された駆動データをフレームバッファ１２に書き込む。と言うこともできる。
【００５６】
さらに、多階調表示プラズマディスプレイ駆動装置３１は、プライミング期間又は維持期間で、かつ映像信号の水平帰線期間又は垂直帰線期間、つまり映像信号がフレームバッファ１２への書き込みや読み出しを行なってない期間に、その展開された駆動データをフレームバッファ１２に書き込む、と言うこともできる。
【００５７】
駆動波形制御回路１３は、水平帰線期間又は垂直期間又はプライミング期間又は維持期間あるいは上途の複数の組み合わせ期間、あるいは、上途の全ての期間、言い換えると映像信号がフレームバッファ１２への書き込みや読み出しを行なっていない期間を必要に応じて使用し、駆動データＲＯＭ１４からフレームバッファ１２への書き込み動作と協調しながら、フレームバッファ１２から駆動データを読み出し、プラズマディスプレイパネル部３２へ駆動波形を生成する制御信号を出力する。
【００５８】
さらに、必要な駆動データを、必要な時のみフレームバッファ１２に転送し、不必要となった時には、フレームバッファ１２上から削除する方法を用いるキャッシュ構成も可能である。
本実施の形態では、駆動データＲＯＭ１４に記憶されている駆動データを圧縮保存しているが、非圧縮の形式で駆動データを駆動データＲＯＭ１４に記憶させておいても問題ない。駆動データを圧縮して、駆動データＲＯＭ１４に格納することにより、駆動データＲＯＭ１４の記憶容量を低減できることは言うまでもない。
【００５９】
サブフィールド映像信号を生成して表示映像信号の形でフレームバッファ１２に書き込む動作は、入力される映像信号に同期して多階調表示プラズマディスプレイ駆動装置３１により実行される。多階調表示プラズマディスプレイ駆動装置３１は、ＳＦ変換回路１１内のコーディングデータに基づいて、アナログインターフェース２０により生成される映像信号をサブフィールドコーディングしてサブフィールド映像信号を生成する。このとき、多階調表示プラズマディスプレイ駆動装置３１は、次々に生成される１組のサブフィールドを表示映像信号の形で第１フレームバッファ６５と第２フレームバッファ６６とに交互に書き込む。
【００６０】
表示映像信号をフレームバッファ１２から読み出してプラズマディスプレイパネル部３２に出力する動作は、駆動波形制御回路１３が出力する制御信号に同期して実行される。多階調表示プラズマディスプレイ駆動装置３１は、その制御信号に同期して、フレームバッファ１２に記録される表示映像信号をプラズマディスプレイパネル部３２に出力する。
【００６１】
他の実施の形態では、多階調表示プラズマディスプレイ駆動装置３１により実行され、駆動データＲＯＭ１４に記録されているコーディングデータをフレームバッファ１２に書き込む動作と、フレームバッファ１２に書き込まれたコーディングデータをＳＦ変換回路１１内にあるコーディングデータ変換領域に高速に書き込む動作と、ＳＦ変換回路１１内にあるコーディングデータ変換領域を用いてプラズマディスプレイ装置３１に入力される映像信号をサブフィールド映像信号に変換し、フレームバッファ１２に表示映像信号の形で書き込む動作と、表示映像信号をフレームバッファ１２から読み出してプラズマディスプレイパネル部３２に出力する動作とを備えている。
【００６２】
例えばサブフィールド毎にコーディングデータを変える場合は、上述のようにフレームバッファ１２に次のフィールドで用いるコーディングデータを駆動データＲＯＭ１４から展開し書き込み、垂直帰線期間内のみでフレームバッファ１２から、ＳＦ変換回路１１内にあるコーディングデータ変換領域に高速に書き変えることにより実現できる。これにより、ＳＦ変換回路１１内に必要な分のみの変換領域を用意すれば良いことになり、サブフィールド変換回路のメモリ容量を低減することができる。
【００６３】
このようにフレームバッファにサブフィールド映像信号以外の駆動データ、例えば駆動波形情報やサブフィールドコーディングデータを書き込み、読み出す。
【００６４】
本発明による表示装置の第２の実施形態は、既述の第１の実施の形態における多階調表示プラズマディスプレイ駆動装置３１が他の多階調表示プラズマディスプレイ駆動装置１３１に置換されている。その多階調表示プラズマディスプレイ駆動装置１３１は、図８に示されているように、サブフィールド変換回路１１１と駆動波形制御回路１１３と駆動データＲＯＭ１１４と作業用バッファメモリ１１６とを備えている。サブフィールド変換回路１１１は、フレームバッファ１１２を備えている。すなわち、多階調表示プラズマディスプレイ駆動装置１３１は、サブフィールド変換回路１１１とフレームバッファ１１２とがワンチップ化された混載ＤＲＡＭを搭載している。混載ＤＲＡＭの容量が大きく取れる場合には、第１の実施形態をそのまま適応できる。しかし、混載ＤＲＡＭは外付けＤＲＡＭに比べ容量が少なく、サブフィールド変換に必要な映像データ分の容量しか取れないことが考えられる。その為、図８では、駆動波形制御回路１１３に、ＳＲＡＭかＤＲＡＭで構成する外付けの作業用バッファメモリ１１６を付加している。
【００６５】
本構成では、映像信号をサブフィールド変換し、表示映像信号の形でフレームバッファ１１２に書き込む。プラズマディスプレイパネルに表示映像信号を転送する期間を除く期間、すなわちプラズマディスプレイパネルの走査期間を除く期間に映像信号を加工するのに必要なデータ、例えばサブフィールドコーディングのコーディングデータを作業用バッファメモリ１１６からＳＦ変換回路１１１内の必要な箇所に転送する。あるいは、映像信号の水平帰線期間又は垂直帰線期間に同期して、映像信号を加工するのに必要なデータを作業用バッファメモリ１１６からＳＦ変換回路１１１内の必要な箇所に転送する。
【００６６】
多階調表示プラズマディスプレイ駆動装置１３１は、駆動データを予め駆動データＲＯＭ１１４から読み出し、展開したデータを作業用バッファメモリ１１６に書き込んでおく。駆動波形制御回路１１３は、作業用バッファメモリ１１６に書き込まれている駆動データに基づいて駆動波形制御信号を生成してプラズマディスプレイパネル部３２に出力する。一方、多階調表示プラズマディスプレイ駆動装置１３１は、サブフィールド変換に必要なコーディングデータを予め駆動データＲＯＭ１１４から読み出し、コーディングデータが圧縮されている場合はデータを展開し、作業用バッファメモリ１１６に書き込んでおく。必要に応じてコーディングデータを作業用バッファメモリ１１６からＳＦ変換回路１１１内の必要な箇所に転送する。例えば、フィールド毎にコーディングデータを作業用バッファメモリ１１６からＳＦ変換回路１１１に読み出す。また、ＳＦ変換回路１１１は、その駆動波形制御回路に同期して、フレームバッファ１１２に記録されている表示映像信号を読み出し、プラズマディスプレイパネル部３２に出力する。
【００６７】
駆動データＲＯＭ１１４から読み出すタイミングと作業用バッファメモリ１１６から読み出すタイミングは、それぞれのメモリ容量、アクセス速度及び駆動データをどのようなタイミングで更新するかによる。
【００６８】
このように、表示装置１は作業用バッファ１１６を有効に使うことができる。
【００６９】
本発明による表示装置の第３の実施形態は、既述の実施の形態における多階調表示プラズマディスプレイ駆動装置３１が他の多階調表示プラズマディスプレイ駆動装置２３１に置換されている。その多階調表示プラズマディスプレイ駆動装置２３１は、図９に示されているように、サブフィールド変換回路２１１と駆動波形制御回路２１３と駆動データＲＯＭ２１４と作業用バッファメモリ２１６とを備えている。サブフィールド変換回路２１１は、フレームバッファ２１２を備え、さらに一時的なメモリ２１７を更に備えている。そのメモリ２１７は、フレームバッファ２１２から読み出した表示映像信号を一時的なメモリ２１７に書き込む動作と、一時的なメモリ２１７から表示映像信号を読み出す動作とを、１フィールドに少なくとも１回は同時に行う。このような表示装置は、フレームバッファ２１２から読み出される表示映像信号の読み出し速度を遅くすることができる。
【００７０】
第３の実施例でも、圧縮されたコーディングデータを駆動データＲＯＭ２１４から読み出し、展開してフレームバッファ２１２に書き込むタイミングは、電源投入時以外に、上途のような水平帰線期間又は垂直帰線期間に同期して、あるいは、プライミング期間Ｐ又は維持期間ＨＯ、あるいは、上途の複数期間、言い換えると映像信号がフレームバッファ２１２にアクセスしていない期間に行うことができる。
【図面の簡単な説明】
【００７１】
【図１】図１は、本発明による表示装置の実施の形態を示すブロック図である。
【図２】図２は、多階調表示プラズマディスプレイ駆動装置を示すブロック図である。
【図３】図３は、サブフィールドコーディングデータを示す表である。
【図４】図４は、フレームバッファを示す図である。
【図５】図５は、映像信号を示す図である。
【図６】図６は、プラズマディスプレイで表示される映像を示す図である。
【図７】図７は、駆動シーケンスを示すグラフである。
【図８】図８は、他の多階調表示プラズマディスプレイ駆動装置を示すブロック図である。
【図９】図９は、さらに他の多階調表示プラズマディスプレイ駆動装置を示すブロック図である。
【図１０】図１０は、公知の多階調表示プラズマディスプレイ駆動装置を示すブロック図である。
【符号の説明】
【００７２】
１  ：表示装置
２０：アナログインターフェース
２１：ビデオクロマデコーダ部
２２：Ａ／Ｄ変換部
２３：同期信号制御部
２４：画像フォーマット変換部
２５：逆ガンマ（γ）変換部
２６：システムコントロール部
３０：プラズマディスプレイモジュール
３１：多階調表示プラズマディスプレイ駆動装置
３２：プラズマディスプレイパネル部
３８：走査ドライバ
３９：データドライバ
４０：高圧パルス部
４１：電力回収部
５０：プラズマディスプレイパネル
１１：サブフィールド変換回路
１２：フレームバッファ
１３：駆動波形制御回路
１４：駆動データＲＯＭ
１５：経路
６５：第１フレームバッファ
６６：第２フレームバッファ
６７：サブフィールド映像信号領域
６８：駆動データ領域
６９：サブフィールド映像信号領域
７０：駆動データ領域
８０：静止画
８１−１〜８１−ｎ：走査線
８２−１〜８２−（ｎ−１）：水平帰線期間
８３：垂直帰線期間
【図１】
2005241917.tif 000003
【図２】
2005241917.tif 000004
【図３】
2005241917.tif 000005
【図４】
2005241917.tif 000006
【図５】
2005241917.tif 000007
【図６】
2005241917.tif 000008
【図７】
2005241917.tif 000009
【図８】
2005241917.tif 000010
【図９】
2005241917.tif 000011
【図１０】
2005241917.tif 000012